(57)【要約】      （修正有）【課題】表示板の設定を容易に行うことができる包装箱及び該包装箱を形成するためのブランクを提供する。【解決手段】包装箱１は、正面板２、第１側面板３、背面板４、第２側面板５及び底板６により構成される箱本体７と、箱本体７を閉塞する蓋板８とを備える。正面板２には、その上端縁に沿った方向に延びた第１罫線９と、その両端部から上端縁に至る破断線１０とで画定され、第１罫線９に沿って外側へ折り返すことが可能な折返し可能部１１が設定されている。正面板２は、折返し可能部１１の上端縁に第２罫線１２を介して接続され、正面板２の裏側に第２罫線１２に沿って折り重ねられて接着された表示板１３を備える。【選択図】図１
0003218842.tif 000002
【実用新案登録請求の範囲】
【請求項１】
正面板、第１側面板、背面板、第２側面板及び底板により構成される箱本体と、該箱本体を閉塞する蓋板とを備える包装箱であって、
前記正面板には、該正面板の中間部で該正面板の上端縁に沿った方向に延びた第１罫線と、該第１罫線の両端部から該上端縁に至る破断線とで画定され、該第１罫線に沿って外側へ折り返すことが可能な折返し可能部が設定されており、
前記正面板は、前記折返し可能部の上端縁に第２罫線を介して接続され、該正面板の裏側に該第２罫線に沿って折り重ねられた表示板を備えることを特徴とする包装箱。
【請求項２】
前記正面板に平行な面内において、前記表示板が存在する範囲は、前記折返し可能部が存在する範囲と同じか、又は該折返し可能部が存在する範囲に含まれることを特徴とする請求項１に記載の包装箱。
【請求項３】
前記正面板に平行な面内において、前記表示板が存在する範囲は、
前記折返し可能部が存在する範囲と同じか、又は該折返し可能部が存在する範囲に含まれる第１範囲と、
前記第１罫線よりも下方に存在する第２範囲とで構成されることを特徴とする請求項１に記載の包装箱。
【請求項４】
Ｂ式段ボール箱又はＮ式段ボール箱であり、前記蓋板は、前記正面板の上端部内側に差し込まれるタックを有することを特徴とする請求項１又は２に記載の包装箱。
【請求項５】
正面板、第１側面板、背面板、第２側面板及び底板により構成される箱本体と、該箱本体を閉塞する蓋板とを備える包装箱を形成するためのブランクであって、
前記正面板に対応する正面部を備え、
前記正面部には、前記包装箱に形成された状態で前記蓋板に隣接する側の端縁に沿った方向に該正面部の中間部で延びた第１罫線と、該第１罫線の両端部から該端縁に至る破断線とで画定された折返し可能部が設定されており、
前記折返し可能部には、前記端縁側に第２罫線を介して接続され、該正面板の裏側に該第２罫線に沿って折り重ねることが可能な表示板が設けられることを特徴とするブランク。
【考案の詳細な説明】
【技術分野】
【０００１】
本考案は、表示板を備える包装箱及び該包装箱を形成するためのブランクに関する。
【背景技術】
【０００２】
従来、正面板、第１側面板、背面板、第２側面板及び底板により構成される箱本体と、該箱本体を閉塞する蓋板とを備える包装箱として、商品展示用に組み立てた状態で、宣伝用の文字や絵柄等を表示した表示板を有するものが知られている（例えば、特許文献１参照）。
【０００３】
特許文献１の包装箱は、正面板内に設けられ、その上端縁に沿った方向に延びた第一折罫線、及びその両端から該上端縁に至る一対の開封用切込線により区切られた裏板と、その第一折罫線と反対側の端部に延設され、第二折罫線で区切られた表示板とを備える。
【０００４】
正面板内の第一折罫線の下方には、Ｕ字状切込線の内側部分としてＵ字突片が設けられる。表示板の第二折罫線と反対側の端部には、第三折罫線で区切られた係合片が延設される。係合片の第三折罫線と反対側の端部には、係合部が形成される。
【０００５】
この包装箱を商品展示用に組み立てる際には、一対の開封用切込線が破断され、Ｕ字突起が正面板の内側に押し出され、裏板が第一折罫線で外側に逆折りされ、表示板が第二折罫線で正折りされる。さらに、係合片が第三折罫線で正折りされ、係合片が正面板とＵ字突起との間に挟まれて位置し、Ｕ字突起が係合部の奥部に収まって係合することにより、表示板が保持される。
【先行技術文献】
【特許文献】
【０００６】
【特許文献１】特開２０１３−１９９３１３号公報
【考案の概要】
【考案が解決しようとする課題】
【０００７】
しかしながら、上記特許文献１の包装箱によれば、表示板を設定する際には、第一乃至第三罫線を折り返し、Ｕ字突起を係合部に係合させる必要がある。また、表示板の設定に際しては、表示板の設定の前に、包装箱内の商品を一旦、包装箱から取り出し、表示板の設定の後に、取り出した商品を再度包装箱内に戻す作業を行う必要がある。
【０００８】
本考案の目的は、かかる従来技術の課題に鑑み、表示板の設定を容易に行うことができる包装箱及び該包装箱を形成するためのブランクを提供することにある。
【課題を解決するための手段】
【０００９】
本考案の包装箱は、正面板、第１側面板、背面板、第２側面板及び底板により構成される箱本体と、該箱本体を閉塞する天板とを備える包装箱であって、前記正面板には、該正面板の中間部で該正面板の上端縁に沿った方向に延びた第１罫線と、該第１罫線の両端部から該上端縁に至る破断線とで画定され、該第１罫線に沿って外側へ折り返すことが可能な折返し可能部が設定されており、前記正面板は、前記折返し可能部の上端縁に第２罫線を介して接続され、該正面板の裏側に該第２罫線に沿って折り重ねられた表示板を備えることを特徴とする。
【００１０】
本考案によれば、表示板の設定は、破断線に沿って正面板を切断し、第１罫線に沿って折返し可能部を外側に折り返すことにより行われる。その際に、包装箱内の商品を取り出す必要はない。したがって、表示板の設定を極めて容易に行うことができる。
【００１１】
本考案において、前記正面板に平行な面内において、前記表示板が存在する範囲は、前記折返し可能部が存在する範囲と同じか、又は該折返し可能部が存在する範囲に含まれるのが好ましい。
【００１２】
これによれば、第１罫線に沿って折返し可能部を外側に折り返す際に、表示板が正面板における折返し可能部の外側の部分に引っかかることがないので、スムーズに折返しを行うことができる。
【００１３】
本考案において、前記正面板に平行な面内において、前記表示板が存在する範囲は、
前記折返し可能部が存在する範囲と同じか、又は該折返し可能部が存在する範囲に含まれる第１範囲と、前記第１罫線よりも下方に存在する第２範囲とで構成されてもよい。
【００１４】
これによれば、表示板による表示領域として、より広い領域を容易に確保することができる。
【００１５】
本考案において、包装箱は、Ｂ式段ボール箱又はＮ式段ボール箱であり、前記蓋板は、前記正面板の上端部内側と前記第１側面板及び前記第２側面板の該正面板側端部との間に差し込まれるタックを有するのが好ましい。
【００１６】
これによれば、蓋板を開放状態にして、あるいは閉塞状態のまま、折返し可能部の上端部を手前に引くことにより、破断線に沿って正面板を切断し、第１罫線に沿って折返し可能部を外側に折り返すことにより、容易に表示板の設定を行うことができる。
【００１７】
本考案のブランクは、正面板、第１側面板、背面板、第２側面板及び底板により構成される箱本体と、該箱本体を閉塞する蓋板とを備える包装箱を形成するためのブランクであって、前記正面板に対応する正面部を備え、前記正面部には、前記包装箱に形成された状態で前記蓋板に隣接する側の端縁に沿った方向に該正面部の中間部で延びた第１罫線と、該第１罫線の両端部から該端縁に至る破断線とで画定された折返し可能部が設定されており、前記折返し可能部には、前記端縁側に第２罫線を介して接続され、該正面部の裏側に該第２罫線に沿って折り重ねることが可能な表示板が設けられることを特徴とする。
【００１８】
本考案によれば、上述の表示板を有する本考案の包装箱を容易に形成できるブランクを提供することができる。
【図面の簡単な説明】
【００１９】
【図１】本考案の第１実施形態に係る包装箱の模式的な斜視図である。
【図２】図１の包装箱において表示板を設定する様子を示す斜視図である。
【図３】図１の包装箱を形成するためのブランクの正面図である。
【図４】本考案の第２実施形態に係る包装箱を形成するためのブランクの正面図である。
【考案を実施するための形態】
【００２０】
以下、図面を用いて本考案の実施形態を説明する。図１は、本考案の第１実施形態に係る包装箱を示す。この包装箱１は、正面板２、第１側面板３、背面板４、第２側面板５及び底板６により構成される箱本体７と、該箱本体７を閉塞する蓋板８とを備える。
【００２１】
正面板２には、正面板２の中間部で上端縁に沿った方向に延びた第１罫線９と、第１罫線９の両端部から該上端縁に至る破断線１０とで画定され、第１罫線９に沿って外側へ折り返すことが可能な折返し可能部１１が設定されている。正面板２は、折返し可能部１１の上端縁に第２罫線１２を介して接続され、正面板２の裏側に第２罫線１２に沿って折り重ねられて接着又は貼付された表示板１３（図２参照）を備える。
【００２２】
正面板２に平行な面内において、表示板１３が存在する範囲は、折返し可能部１１が存在する範囲とほぼ同じである。なお、表示板１３が存在する範囲は、折返し可能部１１が存在する範囲に含まれていればよく、該存在範囲より狭くてもよい。
【００２３】
包装箱１は、Ｂ式段ボール箱である。蓋板８は、背面板４の上端縁に罫線を介して回動し得るように接続されている。また、蓋板８は、正面板２の上端部内側に差し込まれるタック１４（図２参照）を有する。
【００２４】
図２は、包装箱１において表示板１３を設定する様子を示す。包装箱１により包装された商品を展示する際には、図２に示すように、蓋板８を開いて、又は閉じたまま、折返し可能部１１の上端部を正面側に引っ張ることにより、破断線１０に沿って正面板２を破断し、第１罫線９に沿って折返し可能部１１を外側に折り曲げる。
【００２５】
これにより、表示板１３の商品宣伝用の文字や絵柄などが表示された側の面が、正面側から目視できるように表示板１３が設定される。なお、図２において、展示される商品は図示されていない。
【００２６】
なお、表示板１３の設定後、蓋板８は取り去ってもよいし、蓋板８の裏面を、表示板１３とは別の表示を行うために用いてもよい。
【００２７】
図３は、包装箱１を形成するためのブランク１５を示す。図３では、ブランク１５の表面が示されており、この表面が包装箱１の外側の面となる。なお、このブランク１５における包装箱１の各部に対応する部分については、包装箱１の各部と同じ用語を用いて示す。例えば、包装箱１の正面板２に対応する部分であるブランク１５の正面部は、そのまま正面板２と称する。
【００２８】
図３に示すように、ブランク１５では、紙目方向Ｄに沿って、第１側面板３、正面板２、第２側面板５及び背面板４が、この順に、罫線１６〜罫線１８を介して接続されている。第１側面板３の上端縁及び下端縁には、それぞれ罫線１９及び罫線２０を介して第１フラップ２１及び第１底板フラップ２２が接続される。なお、この上端縁及び下端縁は、ブランク１５を包装箱１に形成した場合の上側の端縁及び下側の端を意味しており、以下、同様である。
【００２９】
正面板２には、包装箱１に形成された状態で蓋板８に隣接する側の端縁、すなわち上端縁に沿った方向に延びた第１罫線９と、第１罫線９の両端部から該上端縁に至る破断線１０とで画定された上述の折返し可能部１１が設定される。折返し可能部１１には、該上端縁側に第２罫線１２を介して接続され、第２罫線１２に沿って折り重ねて正面板２の裏側に接着可能な表示板１３が設けられる。
【００３０】
正面板２の下端縁には、ほぼ長方形状の第１底板部２３が罫線２４を介して接続される。第１底板部２３には、正面板２と反対側の端縁部のほぼ中央に第１凹部２５が設けられるとともに、第１凹部２５の底辺の第１側面板３側端部から罫線２４の第１側面板３側端部に至る折畳用の罫線２６が設けられる。第２側面板５の上端縁及び下端縁には、それぞれ罫線２７及び２８を介して第２フラップ２９及び第２底板フラップ３０が接続される。
【００３１】
背面板４の第２側面板５と反対側の端縁には、継しろ３１が罫線３２を介して設けられる。背面板４の上端縁には蓋板８が罫線３３を介して接続される。蓋板８の背面板４と反対側の端縁には罫線３４を介してタック１４が接続される。
【００３２】
背面板４の下端縁には、ほぼ長方形状の第２底板部３５が罫線３６を介して接続される。第２底板部３５には、背面板４と反対側の端縁部のほぼ中央に第２凹部３７が設けられるとともに、第２凹部３７の底辺の第２側面板５側端部から罫線３６の第２側面板５側端部に至る折畳用の罫線３８が設けられる。
【００３３】
第１凹部２５及び第２凹部３７の底部から罫線２４又は罫線３６までのまでの距離ｄは、ほぼ包装箱１の奥行（第１側面板３又は第２側面板５の長さ）の半分である。また、第１凹部２５の底部の罫線２６と反対側の端部３９は、正面板２の幅方向において、該幅のほぼ中心に位置する。第２凹部３７の底部の罫線３８と反対側の端部４０も、同様に、背面板４の幅のほぼ中心に位置する。
【００３４】
ブランク１５を使用する際には、例えば、まず、表示板１３を第２罫線１２に沿って裏面側に折り曲げて、ホットメルト接着剤により折返し可能部１１の裏面に接着する。
【００３５】
次に、第１底板フラップ２２、第１底板部２３、第２底板フラップ３０及び第２底板部３５を罫線２０、２４、２８及び３６に沿って裏面側に９０°折り曲げる。そして、第１側面板３を罫線１６に沿って裏面側に折り曲げて、第１底板フラップ２２の表面側及び第１底板部２３の裏面側の相互に重なった部分を糊付けなどによって固定する。
【００３６】
さらに、固定された第１底板フラップ２２及び第１底板部２３を罫線２６に沿って谷折りとなるように折り曲げながら、第１側面板３を罫線１６に沿ってさらに折り曲げて第１底板部２３に重ねる。これにより、第１側面板３と正面板２の間に第１底板フラップ２２と、罫線２６に沿って折り重ねられた第１底板部２３が挟まれた状態となる。
【００３７】
また、これと同様の操作により、第２側面板５と背面板４の間に第２底板フラップ３０と、罫線３８に沿って折り重ねられた第２底板部３５が挟まれた状態とする。これにより、継しろ３１が第１側面板３の対応部分と重なった状態となるので、継しろ３１を第１側面板３の裏面側に接着する。これにより、折り畳まれた状態の包装箱１が形成される。
【００３８】
この折り畳まれた状態の包装箱１を使用する場合には、正面板２及び背面板４と、第１側面板３及び第２側面板５とが９０°を成すように、相互に回動させる。また、これと同時に、相互に固定されている第１底板フラップ２２及び第１底板部２３の部分と、第２底板フラップ３０及び第２底板部３５の部分とを、第１凹部２５及び第２凹部３７を介して噛み合わせる。
【００３９】
これにより、これらの部分は、第１凹部２５の端部３９及び第２凹部３７の端部４０がほぼ底板６の中心に位置し、該中心を通る上下方向の線に関して回転対称の位置関係となって、底板６を形成する。これにより、包装箱１の箱本体７が形成される。
【００４０】
次に、箱本体７内に商品を配置し、第１フラップ２１及び第２フラップ２９をそれぞれ罫線１９及び罫線２７に沿って折り曲げ、蓋板８を罫線３３に沿って折り曲げる。そして、タック１４を罫線３４に沿って折り曲げて、正面板２の上端部裏側に差し込む。
【００４１】
このとき、タック１４は、第１フラップ２１及び第２フラップ２９の正面板２側の端部と、正面板２との間に挟まれた状態となる。これにより、箱本体７が閉じられ、商品を収納した包装箱１の形成が完了する。
【００４２】
商品を展示する際には、図２を用いて上述したように、蓋板８を開き、折返し可能部１１の上端部を把持して手前に引きながら、破断線１０に沿って正面板２を切断し、第１罫線９に沿って折返し可能部１１を外側に折り返す。このとき、蓋板８は開いた状態であっても閉じた状態であってもよい。これにより、折返し可能部１１の裏側に接着されている表示板１３が正面側に向くとともに、包装箱１内の商品が正面側から視認できるようになる。
【００４３】
第１実施形態によれば、表示板１３の設定は、破断線１０に沿って正面板を切断し、第１罫線９に沿って折返し可能部１１を外側に折り返すだけで、商品を取り出す必要なく、極めて容易に行うことができる。
【００４４】
その際に、表示板１３が存在する範囲は、折返し可能部１１が存在する範囲と同じか、又は該折返し可能部１１が存在する範囲に含まれるので、表示板１３が正面板２における折返し可能部１１の外側の部分に引っかかることがないので、スムーズに折返しを行うことができる。
【００４５】
また、包装箱１は、Ｂ式段ボール箱であるため、蓋板８を開放状態にして、あるいは閉塞状態のまま、折返し可能部１１の上端部を容易に手前に引いて折返し可能部１１を外側に折り返すことができる。
【００４６】
図４は、本考案の第２実施形態に係る包装箱を形成するためのブランクの表面側を示す。このブランク１５ｂにより、上述の図１の実施形態の包装箱１と同様の直方体状の包装箱を形成することができる。ただし、この包装箱は、Ｎ式段ボール箱である。
【００４７】
図４に示すように、ブランク１５ｂは、紙目方向Ｄに沿って、順に罫線を介して接続された正面板２ｂ、底板６ｂ、背面板４ｂ及び蓋板８ｂを備える。
【００４８】
正面板２ｂには、包装箱に形成された状態で蓋板８ｂに隣接する側の端縁、すなわち上端縁に沿った方向に正面板２ｂの中間部で延びている第１罫線９ｂと、第１罫線９ｂの両端部から該上端縁に至る破断線１０ｂとで画定されたほぼ長方形状の折返し可能部１１ｂが設定される。折返し可能部１１ｂには、該上端縁側に第２罫線１２ｂを介して接続され、第２罫線１２ｂに沿って折り重ねて折返し可能部１１ｂの裏側に接着可能な表示板１３ｂが設けられる。
【００４９】
ただし、表示板１３ｂは、正面板２ｂに平行な面内において、表示板１３ｂが存在する範囲は、折返し可能部１１ｂの裏側に接着した場合に、折返し可能部１１ｂが存在する範囲と同じである第１範囲４１と、第１罫線９ｂよりも下方に存在する第２範囲４２とで構成される。なお、第１範囲４１は、折返し可能部１１ｂが存在する範囲に含まれていればよく、折返し可能部１１ｂが存在する範囲より幅が狭くてもよい。
【００５０】
正面板２ｂ及び背面板４ｂの紙目方向Ｄに垂直な方向における各両端部には、接続フラップ４３が罫線を介して接続される。底板６ｂの紙目方向Ｄに垂直な方向における両端部には、第１側面板３ｂ及び第２側面板５ｂが罫線を介して接続される。第１側面板３ｂ及び第２側面板５ｂの各先端縁には、それぞれ罫線を介して第１フラップ２１ｂ及び第２フラップ２９ｂが接続される。
【００５１】
蓋板８ｂの先端縁には、タック１４ｂが罫線を介して接続される。また、第１側面板３ｂ及び第１フラップ２１ｂには、第１側面板３ｂの底板６ｂ側の端縁の両端部から第１フラップ２１ｂの先端縁の中央にかけて、２本の折畳み用罫線４４が設けられる。同様に、第２側面板５ｂ及び第２フラップ２９ｂには、第２側面板５ｂの底板６ｂ側の端縁の両端部から第２フラップ２９ｂの先端縁の中央にかけて、２本の折畳み用罫線４５が設けられる。
【００５２】
ブランク１５ｂを使用する際には、例えば、まず、表示板１３ｂを第２罫線１２ｂに沿って裏面側に折り曲げて、ホットメルト接着剤により折返し可能部１１ｂの裏面に接着する。
【００５３】
次に、底板６ｂに対して正面板２ｂ、背面板４ｂ、第１側面板３ｂ及び第２側面板５ｂを裏面側に垂直に折り曲げて、各接続フラップ４３を第１側面板３ｂ及び第２側面板５ｂの裏面側に接着する。
【００５４】
さらに、ブランク１５ｂを、各折畳み用罫線４５及び４４に関して山折りとなるようにして折り畳んだ状態とする。ブランク１５ｂは、この状態で、商品の収納場所に搬送される。
【００５５】
商品の収納に際しては、まず、第１側面板３ｂ及び第２側面板５ｂを平面状態に戻すことにより箱本体を形成する。次に、箱本体内に商品を配置し、第１フラップ２１ａ及び第２フラップ２９ｂを内側に折り曲げる。さらに、蓋板８ｂを罫線に沿って折り曲げて、タック１４ｂを正面板２ｂの上端部裏側に挿入する。このとき、タック１４ｂは、正面板２ｂと、第１フラップ２１ａ及び第２フラップ２９ｂの正面板２ｂ側端部との間に挟まれた状態となる。これにより、蓋板８ｂによって箱本体が閉塞され、商品を収納した収納箱が完成する。
【００５６】
商品を展示する際には、上述の第１実施形態の場合と同様に、折返し可能部１１ｂの上端部を把持して手前に引きながら、破断線１０ｂに沿って正面板２ｂを切断し、第１罫線９ｂに沿って折返し可能部１１ｂを外側に折り返す。これにより、折返し可能部１１ｂの裏側に接着されている表示板１３ｂが正面側に向くとともに、包装箱内の商品が視認できるようになる。
【００５７】
以上のように、第２実施形態によれば、第１実施形態の場合と同様に、表示板１３ｂの設定は、破断線１０ｂに沿って正面板２ｂを切断し、第１罫線９ｂに沿って折返し可能部１１ｂを外側に折り返すだけで、商品を取り出す必要なく、極めて容易に行うことができる。
【００５８】
また、表示板１３ｂが存在する範囲は、第１範囲４１と第２範囲４２とで構成されるので、表示板１３ｂによる表示領域として、より広い領域を容易に確保することができる。
【００５９】
以上、本考案の実施形態について説明したが、本考案はこれに限定されない。例えば、本考案は、Ｂ式段ボール箱、Ｎ式段ボール箱に限られず、正面板を有するものであれば、他の形式の包装箱にも適用することができる。
【符号の説明】
【００６０】
１…包装箱、２、２ｂ…正面板、３、３ｂ…第１側面板、４、４ｂ…背面板、５、５ｂ…第２側面板、６、６ｂ…底板、７…箱本体、８、８ｂ…蓋板、９、９ｂ…第１罫線、１０、１０ｂ…破断線、１１、１１ｂ…折返し可能部、１２、１２ｂ…第２罫線、１３、１３ｂ…表示板、１４、１４ｂ…タック、１５、１５ｂ…ブランク、１６〜２０、２４、２６、２７、２８、３２、３３、３４、３６、３８…罫線、２１、２１ｂ…第１フラップ、２２…第１底板フラップ、２３…第１底板部、２５…第１凹部、２９，２９ｂ…第２フラップ、３０…第２底板フラップ、３１…継しろ、３５…第２底板部、３７…第２凹部、３９、４０…端部、４１…第１範囲、４２…第２範囲、４３…接続フラップ、４４、４５…折畳み用罫線。
【図１】
0003218842.tif 000003
【図２】
0003218842.tif 000004
【図３】
0003218842.tif 000005
【図４】
0003218842.tif 000006